(57)【要約】【課題】手書きメール送信システムにおける、サーバーへのアドレスの登録を容易にすること。【解決手段】手書きメール送信システムにおける電子メールアドレス登録方法において、  予め送信者（甲）から受信者（乙）に対して、甲のアドレス帳が存在するサーバーに空メールを送るように要請し、乙が空メールを送信した後に、乙が送った空メールの差出人アドレス（乙のアドレス）と、甲がその後に前記サーバーに送信した登録番号とを関連付けて前記サーバーのアドレス帳に登録する。【選択図】図４
2007293640.tif 000002
【特許請求の範囲】
【請求項１】
デジタルペンと、該デジタルペンに対応した手書きメール用の用紙と、前記デジタルペンと通信可能に接続された送信者（以下、「甲」という。）の携帯電話と、該携帯電話と通信可能に接続されたサーバーとを備え、前記用紙に書かれた手書きメッセージを前記デジタルペンを介して前記携帯電話の電子メール送信機能を利用して、予め前記サーバーに登録されている受信者（以下、「乙」という。）の電子メールアドレス宛に送信する、手書きメール送信システムにおける電子メールアドレス登録方法であって、
前記サーバーが、前記甲からの依頼により前記サーバーに割り当てられている甲の専用アドレス帳に対して送信された、前記乙が送信した空メールを受信するステップと、それに次いで、
甲が前記デジタルペンを用いて前記用紙において指定した乙の登録番号と登録要請情報とが、前記携帯電話の電子メール送信機能によって前記サーバーに送信されるステップと、
前記サーバーが、前記受信した空メールの差出人欄に含まれる乙の電子メールアドレスと、前記受信した登録番号とを関連付けて、甲の前記専用アドレス帳に登録するステップとを備えたことを特徴とする電子メールアドレス登録方法。
【請求項２】
前記デジタルペンと前記携帯電話との間の通信はBluetooth（登録商標）方式により無線で行われることを特徴とする請求項１に記載の電子メールアドレス登録方法。
【発明の詳細な説明】
【技術分野】
【０００１】
本発明は、電子メールアドレスの登録方法に関するものであり、とくに、手書きの文書を携帯電話の電子メールで相手に送信する場合に指定する相手側のメールアドレスをメールサーバーに登録する方法に関するものである。
【背景技術】
【０００２】
携帯電話を利用した電子メールの送受信は、その手軽さも手伝ってか、若者を中心として大いに利用されている。電子メールの送信に際しては、電話のテンキー等を利用したテキスト入力による本文作成のほか、携帯電話本体に登録されている相手の電子メールアドレス（以下、「アドレス」と略す。）を呼び出して送信アドレスに指定する作業が必要となる。
【０００３】
しかしながら、携帯電話の操作に不慣れな高齢者の場合、テンキー等を利用したテキスト入力による本文作成のみならず、相手のアドレスの（電話本体への）登録や、呼び出しての指定もままならず、携帯電話による電子メールの利用が進んでいないのが実情である。
【０００４】
かかる事情に鑑み、手書きメールを作成して送信することのできる手書き情報の伝送システムが提案されている（特許文献１参照。）。
【０００５】
まず、図１を用いて、この手書き情報の伝送システム１の全体構成について特許文献１の記載を引用しつつ具体的に説明する。図１は、同システム１の具体構成の一例を示す模式図である。
このシステムは、デジタルペン（以下、「ペン」と略す。）１１、ペン１１に対応した用紙１２、携帯電話１３、携帯電話１４及びネットシステム１５を備えている。ネットシステム１５では、携帯電話１３と接続された携帯電話通信システム１５０、ASH（Application  Service  Handler）サーバー１５３、PLS（Paper  Look-up  Service）サーバー１５４、携帯電話通信システム１５５が通信網であるインターネット１５６を介して相互に接続されている。PLSサーバーはデジタルペン専用用紙１２とアプリケーションの関連付けやペンＩＤの認証を行うサーバーである。つまり、ペンから送られてきた用紙の座標データを分析し、絶対アドレスから用紙１２にアサインしたアプリケーションを特定するものである。ASHとはペンのストロークデータ解析するためのアプリケーションのことであり、取得データをイメージやOCRエンジンを使ってテキストに変換する。このアプリケーションが格納されているサーバーがASHサーバーである。携帯電話通信システム１５０は、相互に接続された携帯電話基地局１５１及びISP（Internet  Service  Provider）サーバー１５２を備えている。ペン１１は、ユーザーが手書きによって入力するための入力手段である。さらに、ペン１１は、用紙１２に手書きで入力するために、超小型カメラ等の撮影手段を有する。ペン１１は、携帯電話１３と無線通信（例えばBluetooth（登録商標）通信）するための通信機能を有する。このペン１１は、固有のペンＩＤ等、システム１がメール転送を行うための各種情報を記憶手段に格納しており、例えば特許文献２に記載の技術を利用したものが市販されている。なお、ペン１１と携帯電話１３の間は有線通信（USB等）で通信してもよい。
【０００６】
用紙１２は、アノト方式（注：スウェーデンの会社であるANOTO社が開発したデジタイジング方式）のデジタイジング方式が採用された電子ペーパーが利用可能である。具体的には、用紙に0.3mmの格子の交点から僅かにずらして点を印刷し、この点をペン１１に設けられた超小型カメラによって撮影する。アノト方式は、６点×６点つまり３６個の点の格子からのずれ方により、絶対座標を算出するデジタイジング方式である（特許文献２参照）。次に、このシステム１の動作処理について説明する。ここでは、適宜図２を参照しながら説明する。
【０００７】
利用者は、各種情報が設定されたペン１１を使い、図２に示される送信用紙３０にメッセージや相手先の送信アドレス情報等の各種記入事項を手書きする。用紙３０には、図２に示されるように、様々な機能を表す表記が印刷されている。利用者は、この用紙３０に記入後、送信領域３０６の「送信」マークをチェックする。利用者が「送信」マークをチェックすると、ペン１１と第１の携帯電話１３とが通信を行う。具体的には、ペン１１は、第１の携帯電話１３とペアリングされており、無線（又は有線で）通信可能な状態にある。ペン１１は、この状態で、第１の携帯電話１３と通信を開始する。ペン１１は、モデムコマンドを第１の携帯電話１３に送り、この第１の携帯電話１３に対して、ペン内部に格納している電話番号情報（注：携帯電話会社のサービスであるデータ通信用電話番号である。）を送信する。第１の携帯電話１３は、この電話番号の情報を受信して、電話番号情報により特定された電話番号に発信する。
【０００８】
第１の携帯電話１３は、ISPサーバー１５２に接続し、ペン１１とISPサーバー１５２とは、定められた手順で情報交換を行う。これによって、第１の携帯電話１３は、自分が利用する第１の携帯電話通信システム１５０の携帯電話基地局１５１を介して、インターネット１５６に接続する。ペン１１は、第１の携帯電話１３、携帯電話基地局１５１、ISPサーバー１５２、インターネット１５６を介して、用紙３０にアサインされたアドレス情報をPLSサーバー１５４へ送信する。PLSサーバー１５４は、ペン１１のペンＩＤをペン１１から取得し、PLSサーバー１５４に登録されていることを確認する。その後、PLSサーバー１５４は、ペン１１から送られた用紙３０の「アドレス情報」を参照する。PLSサーバー１５４は、このアドレスに定義されたASHサーバー１５３のURLをペン１１に返送する。ペン１１は、PLSサーバー１５４から送られてきたURLに、ペン１１内部に取り込んだデータ、即ちペン１１のメモリ１１８に格納されたデータを送信する。このデータは、第１の携帯電話１３、第１の携帯電話通信システム１５０、インターネット１５６を介して、ペン１１からASHサーバー１５３に送信される。ASHサーバー１５３は、ペン１１から送られてきたデータを分析する。このデータを分析したASHサーバー１５３は、メッセージの送り先を特定するアドレス情報と、手書きされたメッセージ情報（筆記情報）とを生成する。
【０００９】
ASHサーバー１５３は、テキストメールを作成した後、メッセージ情報をテキストメールに添付し、第２の携帯電話システム１５５に送信する。第２の携帯電話通信システム１５５は、ASHサーバー１５３からのメールを受信し、指定されたアドレスを有する第２の携帯電話１４にメール配信を行う。第２の携帯電話１４は、ASHサーバー１５３からメールを受信すると、添付されたイメージ情報を選択して表示する。その結果、ペン１１で用紙３０に筆記した手書きイメージが、指定した第２の携帯電話１４に送られ、表示される。
【００１０】
以上のようにして手書きされたメールが相手に送信されるのであるが、用紙３０において送信アドレス指定領域３０２の番号をチェックするだけで相手のアドレスを指定することができるのは、ASHサーバー１５３が、送信アドレス指定領域３０２にチェックされた情報から登録番号を導出し、ペンＩＤに従って登録されているアドレスを送信アドレスに設定するからである。
【００１１】
そこで、ASHサーバー１５３へ予め相手のアドレスを登録しておくことが必要となるが、従来システムにおける登録の方法を、図３を用いて詳細に説明する。
図３に示すように、アドレス登録フォーム３２は、「開始」領域３２１、「アドレス登録・削除」領域３２２、「登録番号」領域３２３、「アドレス入力」領域３２４、「送信」領域３２５を有する。利用者は、ペン１１を使って開始領域３２１をチェックし、アドレス登録を開始する。それとともに、利用者は、ペン１１を用いて、アドレス登録・削除領域３２２の登録マーク３２６をチェックし、登録番号領域３２３において、登録するアドレスの番号をチェックする。さらに、利用者は、登録するアドレスを、アドレス入力領域３２４にある文字入力領域３２９を１文字ずつチェックする。また、利用者は、ドメイン名やよく使用する文字列を入力するショートカット領域３３０をチェックし、入力を省略することも可能である。利用者は、アドレス登録情報を送信するために、送信マーク３２５をペン１１でチェックする。ペン１１は、ペン１１のメモリ１１８に格納されたペンＩＤ及び利用者の個人情報２１０（名前２１１、メールアドレス２１２、フィードバック言語２１４）を読み出し、第１の携帯電話１３を介してASHサーバー１５３に送信する。それとともに、開始マーク３２１から送信マーク３２５までにチェックしたデータもASHサーバー１５３に送る。
【００１２】
ASHサーバー１５３のアプリケーションプログラムは、このペン１１からのデータを取得し、ペンＩＤに従って、個人情報２５２中に、ペン１１からのデータに含まれる個人情報２１０を設定する。その後、このアプリケーションプログラムは、各ストロークデータ（手書き情報）の座標値と、用紙上に定義した領域の座標値に基づいて、ペン１１がチェックした領域を算出し、登録番号領域３２３にチェックされたストロークデータから、利用者が指定する登録番号を導出する。
【００１３】
さらに、ASHサーバー１５３のアプリケーションプログラムは、アドレス入力領域３２４にてチェックされたストロークデータの領域判定を行い、時系列に並んだストロークがチェックした領域列から文字列を導出する。そして、指定された登録番号に、導出した文字列をアドレスとして登録する。利用者は、このような一連の操作を繰り返し、必要なアドレスの登録を行う。
【特許文献１】特開２００６−３１３５７号公報
【特許文献２】特表２００３−５１１７６２号公報
【発明の開示】
【発明が解決しようとする課題】
【００１４】
しかしながら、かかるアドレス登録方法は、携帯電話の操作もままならない高齢者にとっては負担が大きい。専用の登録用紙において英数字やドメインネームをデジタルペンで入力するとは言え、実質的には携帯電話のテンキーを用いて入力するのと変わらない。すなわち、相手からアドレスを聞いたときの聞き間違いや、メモ等でもらったときの読み間違い（例えば、ハイフン「-」とアンダーバー「_」、数字の「1」とアルファベット小文字の「l」）に起因する入力ミスが発生するおそれや、そもそもこのような登録作業に対して抵抗感を覚える人には向かない。
【００１５】
本発明はかかる従来技術の問題点に鑑み為されたものであり、手書きメール送信システムにおける、サーバーへのアドレスの登録を容易にすることを目的とするものである。
【課題を解決するための手段】
【００１６】
本発明は、デジタルペンと、該デジタルペンに対応した手書きメール用の用紙と、前記デジタルペンと通信可能に接続された送信者（以下、「甲」という。）の携帯電話と、該携帯電話と通信可能に接続されたサーバーとを備え、前記用紙に書かれた手書きメッセージを前記デジタルペンを介して前記携帯電話の電子メール送信機能を利用して、予め前記サーバーに登録されている受信者（以下、「乙」という。）の電子メールアドレス宛に送信する、手書きメール送信システムにおける電子メールアドレス登録方法に関するものであり、本発明の上記目的は、
前記サーバーが、前記甲からの依頼により前記サーバーに割り当てられている甲の専用アドレス帳に対して送信された、前記乙が送信した空メールを受信するステップと、それに次いで、甲が前記デジタルペンを用いて前記用紙において指定した乙の登録番号と登録要請情報とが、前記携帯電話の電子メール送信機能によって前記サーバーに送信されるステップと、前記サーバーが、前記受信した空メールの差出人欄に含まれる乙の電子メールアドレスと、前記受信した登録番号とを関連付けて、甲の前記専用アドレス帳に登録するステップとを備えることによって達成される。
【発明の効果】
【００１７】
本発明に係る電子メールアドレス登録方法によれば、登録の際のアドレス入力ミスが発生せず、かつ、登録する側は相手の登録番号と登録要請情報を送信するだけでよいので、登録作業が極めて簡単にできる。
【発明を実施するための最良の形態】
【００１８】
本発明に係る電子メールアドレス登録方法は、従来の手書きメール送信システム(例えば特許文献１参照)におけるメールアドレス登録の方法が異なるだけであり、基本的な構成は図１に示すものと同じである。
図１の構成において、本発明に係る電子メールアドレス登録方法について、図４のフローチャートに基づいて詳細に説明する。
【００１９】
まず、メールの送信者である甲が、受信者である乙に対して、ASHサーバー１５３にある甲のアドレス帳に空のメールを送信するように依頼する（ステップＳ１）。依頼は甲の携帯電話１３を用い、乙の携帯電話１４に対して行うが、他の方法でも構わない。要するに甲の意思が伝わればいい。このとき甲はアドレス帳のあるASHサーバーのアドレスを乙に伝える必要があるが、アドレス帳のアドレスは、例えば、デジタルペン１１のペンＩＤ（例えば、yfb07967）とASHサーバーのドメイン名（例えば、@ashserver.ne.jp）との組み合わせによって特定する（yfb07967@ashserver.ne.jp）ようにしてもよい。
【００２０】
電話等で依頼を受けた乙は、甲のアドレス帳のアドレス（yfb07967@ashserver.ne.jp）に対して空メールを送信する（ステップＳ２）。空メールを受信したASHサーバーは、空メールの差出人欄に記載されている（乙の）メールアドレスを甲のアドレス帳に一時保留する（ステップＳ３）。乙が空メールを送信したことを確認したら、甲は専用のアドレス登録用紙３４（図５参照）とデジタルペン１１を用いてアドレス帳への登録依頼を行う。登録用紙３４は例えばアノト方式の用紙を用いるのが好ましい。乙が空メールを送信したことの確認は、予め何分以内に送信するように取り決めておくか、又は、送信後に乙が甲に確認の電話をいれるように依頼しておけばよい。
すなわち、図５に示すように、アドレス登録用紙３４は、「開始」領域３２１、「登録番号」領域３２３、「送信」領域３２５、「登録」領域３２６、「削除」領域３２７、名前入力領域３４０を有する。甲は、ペン１１を使って開始領域３２１をチェックし、アドレス登録を開始する。それとともに、甲は、ペン１１を用いて、アドレス登録領域３２６の登録マークをチェックし、登録番号領域３２３において、登録するアドレスの番号（「１」）をチェックする。さらに、甲は、乙の名前（例えば「山田太郎」）を、名前入力領域３４０にペン１１を用いて手書きで入力する。甲は、アドレス登録情報を送信するために、送信マーク３２５をペン１１でチェックする。ペン１１は、ペン１１のメモリ１１８に格納されたペンＩＤ及び甲の個人情報（名前、甲の携帯メールアドレス等）を読み出し、第１の携帯電話１３を介してASHサーバー１５３に送信する。それとともに、開始マーク３２１から送信マーク３２５までにチェックしたデータもASHサーバー１５３に送られる（ステップＳ４）。なお、名前入力領域に記入された乙の名前は送信されない。登録番号「１」が「山田太郎」に割り当てられていることを記録する単なる覚書に過ぎないからである。
【００２１】
甲からのアドレス登録要請情報を受信したASHサーバーのアプリケーションプログラムは、甲から送られた登録番号（「１」）と、一時保留してある乙のメールアドレスを関連付けて、甲のアドレス帳に登録する（ステップＳ５）。
【００２２】
最後に、登録が完了した旨のメールをASHサーバーから甲の携帯電話に自動送信するようにASHサーバーのアプリケーションプログラムを設定しておけばさらに好ましい（ステップＳ６）。
【００２３】
なお、メールアドレスの登録をASHサーバーにて行ったが、本発明はこれに限定されるものではなく、メールアドレス登録専用のサーバーを設けるようにしてもよい。
【００２４】
次に、このようにしてメールアドレスを登録した相手の乙に対して、甲が手書きメールを送信する場合の手順について説明する。甲はまずアドレス帳控（図５参照。アドレス登録用紙を兼ねている。）で、乙（山田太郎）の登録番号が「１」であることを確認し、手書きメール作成／送信用紙３０（図２）にて、「開始」をチェックし、メール作成を開始する。次に、乙の送信アドレスがアサインされている登録番号「１」をチェック、メッセージ記入欄３０３にペン１１でメッセージを手書きし、必要に応じて背景色３０４やペン色３０５を設定して送信マーク３０６をチェックすると、第１の携帯電話１３を介してネットシステム１５に手書きメールが送信される。ASHサーバー１５３は、ペン１１からペンＩＤ、個人情報と、手書き情報を受信すると、送信メールを作成する。具体的には、ASHサーバーは、送信アドレス指定領域３０２にてチェックされた情報から登録番号（「１」）を割り出し、メールの送信先を甲のアドレス帳の登録番号「１」に登録されている乙のメールアドレスに設定する。
【００２５】
ASHサーバー１５３は、差出人アドレス（送信元）に、甲の個人情報に設定されている甲のメールアドレスを設定し、メッセージ記入欄３０３に記載した手書きデータを画像データに変換して、メール添付ファイルとして挿入し、乙の携帯電話である第２の携帯電話１４にメール送信する。メールを受信した第２の携帯電話１４の利用者である乙は、添付の画像ファイルを液晶画面に表示させることで、メッセージを閲覧することができる。
なお、本例では乙の端末を携帯電話１４としているが、端末は必ずしも携帯電話に限らず、例えばパソコン（デスクトップ型又はノート型）等でもよい。乙が空メールを送信するときにパソコンを使用すれば、差出人アドレスは乙のパソコン用メールアドレスになるから、そのアドレスが登録されれば、甲からのメールは当然ながら乙のパソコンで受信されることになるからである。
【図面の簡単な説明】
【００２６】
【図１】手書きメール送信システムの具体構成の一例を示す模式図である。
【図２】手書きメール送信用の専用用紙の一例を示す図である。
【図３】アドレス登録フォームの従来例を示す図である。
【図４】本発明に係る電子メールアドレス登録方法の手順を示すフローチャートの一例を示す図である。
【図５】本発明に係る電子メールアドレス登録方法に好適な登録フォームの一例を示す図である。
【符号の説明】
【００２７】
１１  デジタルペン
１２  ペンに対応した用紙
１３  第１の携帯電話
１４  第２の携帯電話
１５  ネットシステム
３０  手書きメール作成／送信用紙
３２  アドレス登録フォーム（従来例）
３４  アドレス登録フォーム（本発明）
１５０  第１の携帯電話通信システム
１５１  携帯電話基地局
１５２  ISPサーバー
１５３  ASHサーバー
１５４  PLSサーバー
１５５  第２の携帯電話通信システム
１５６  インターネット
【図１】
2007293640.tif 000003
【図２】
2007293640.tif 000004
【図３】
2007293640.tif 000005
【図４】
2007293640.tif 000006
【図５】
2007293640.tif 000007